(57)【要約】      （修正有）【課題】人体に身に着けながら骨盤を引き締めることにより、骨盤の補正をすることができる下肢用衣料を提供する。【解決手段】人体の下腹部を覆う前身頃１１と、腰部から臀部の上部側を覆う後身頃１２と、前身頃および後身頃の上端縁１１ｃ、１２ｃに腰天の開口部３１に周回するように設けられるウエストベルト部３０と、股間を覆うクロッチ部４０と、脚部が挿通される脚部挿通部８０と、を有する下肢用衣料１であって、前身頃および後身頃は、相互に両側端縁部１１ａ、１２ａおよび１１ｂ、１２ｂが接続されて、引き締め用生地で形成され骨盤回りを覆う骨盤ベルト部１０を形成する。【選択図】図１
0003235294.tif 000002
【実用新案登録請求の範囲】
【請求項１】
脚部が挿通される脚部挿通口を有する下肢用衣料であって、
引き締め用生地で形成され骨盤回りを覆う骨盤ベルト部を有することを特徴とする下肢用衣料。
【請求項２】
腰天の開口部に周回するように設けられるウエストベルト部と、股間を覆うクロッチ部と、脚部が挿通される脚部挿通口と、を有する下肢用衣料であって、
引き締め用生地で形成され骨盤回りを覆う骨盤ベルト部を有することを特徴とする下肢用衣料。
【請求項３】
人体の下腹部を覆う前身頃と、腰部から臀部の上部側を覆う後身頃と、前記前身頃および前記後身頃の上端縁に腰天の開口部に周回するように設けられるウエストベルト部と、股間を覆うクロッチ部と、脚部が挿通される脚部挿通口と、を有する下肢用衣料であって、
前記前身頃および前記後身頃は、相互に両側端縁部が接続されるとともに、引き締め用生地で形成され骨盤回りを覆う骨盤ベルト部を形成することを特徴とする下肢用衣料。
【請求項４】
前記骨盤ベルト部は、腸骨棘点付近を覆うことを特徴とする請求項１乃至請求項３のうちいずれか一項に記載の下肢用衣料。
【請求項５】
前記骨盤ベルト部の側部における下端は、転子点付近に位置することを特徴とする請求項１乃至請求項４のうちいずれか一項に記載の下肢用衣料。
【請求項６】
前記引き締め用生地は、伸縮生地を複数重ねて形成することを特徴とする請求項１乃至請求項５のうちいずれか一項に記載の下肢用衣料。
【請求項７】
前記複数の伸縮生地は、ネット生地を含むことを特徴とする請求項６に記載の下肢用衣料。
【請求項８】
前記ネット生地は、パワーネットとすることを特徴とする請求項７に記載の下肢用衣料。
【請求項９】
前記骨盤ベルト部と前記クロッチ部との間に介在布部材が設けられることを特徴とする請求項３乃至請求項８のうちいずれか一項に記載の下肢用衣料。
【請求項１０】
前記介在布部材は、人体の前部から両側部を覆う前部介在布部材と両側部から後部を覆う後部介在布部材とを有し、
前記前部介在布部材の上端縁は、前記前身頃の下端縁に接続され、
前記後部介在布部材の上端縁は、前記後身頃の下端縁に接続され、
前記前部介在布部材の下端縁は、前記クロッチ部の前端縁に接続され、
前記後部介在布部材の下端縁は、前記クロッチ部の後端縁に接続され、
前記前部介在布部材の両側端縁は、前記前部介在布部材の下端縁の両端から前記骨盤ベルト部の側部の下端付近に至り、それぞれ円弧状に湾曲しながら上昇するように形成され、前記転子点付近で頂点に達することを特徴とする請求項９に記載の下肢用衣料。
【請求項１１】
前記前部介在布部材の湾曲した両側端縁は、前記頂点に達した後は、前記後部介在布部材の両側端縁に続き、
前記後部介在布部材の両側端縁は、前記頂点から前記クロッチ部の後端縁に接続する前記後部介在布部材の下端縁の両端に至るまでそれぞれ曲線状に湾曲しながら漸次下降するように形成されることを特徴とする請求項１０に記載の下肢用衣料。
【請求項１２】
前記後部介在布部材は、上部側の第１の後部介在布部材と下部側の第２の後部介在布部材を有し、
前記第１の後部介在布部材は、前記臀部の中間部を覆い、
前記第２の後部介在布部材は、前記臀部の下部を覆うことを特徴とする請求項１１に記載の下肢用衣料。
【請求項１３】
前記第２の後部介在布部材は、引き緩め用生地を用いて形成されることを特徴とする請求項１２に記載の下肢用衣料。
【請求項１４】
前記引き締め用生地は、伸縮生地を複数重ねて形成することを特徴とする請求項１３に記載の下肢用衣料。
【請求項１５】
前記複数の伸縮生地は、ネット生地を含むことを特徴とする請求項１４に記載の下肢用衣料。
【請求項１６】
前記ネット生地は、パワーネットとすることを特徴とする請求項１５に記載の下肢用衣料。
【請求項１７】
後部の左右方向の中央ライン上に引き上げ部材を設けることを特徴とする請求項１乃至請求項１６のうちいずれか一項に記載の下肢用衣料。
【請求項１８】
前記引き上げ部材は、ストレッチテープとすることを特徴とする請求項１７に記載の下肢用衣料。
【請求項１９】
前記骨盤ベルト部は、前記骨盤ベルト部の一部の領域に設けられる部分引き締め用生地を有することを特徴とする請求項１乃至請求項１８のいずれか一項に記載の下肢用衣料。
【請求項２０】
前記部分引き締め用生地は、前記骨盤ベルト部の下部側を覆うように設けられることを特徴とする請求項１９に記載の下肢用衣料。
【請求項２１】
前記部分引き締め用生地は、前記骨盤ベルト部の下端縁から上方の一定の範囲に設けられ、前記部分引き締め用生地の上端縁は、前記骨盤ベルト部の上端縁から一定の長さ離間していることを特徴とする請求項１９または請求項２０に下肢用衣料。
【請求項２２】
前記部分引き締め用生地の設置高さは、前記骨盤ベルト部の前身頃側が後身頃側よりも低く設定されていることを特徴とする請求項１９乃至請求項２１のいずれか一項に記載の下肢用衣料。
【請求項２３】
前記部分引き締め用生地の設置高さは、前記前身頃側においては、該前身頃の高さの３０％〜６０％とし、前記後身頃側においては、該後身頃の高さの５０〜７０％の高さとすることを特徴とする請求項２２に記載の下肢用衣料。
【請求項２４】
前記前身頃側の部分引き締め用生地の上端縁は、円弧状に湾曲した形状とすることを特徴とする請求項２２または請求項２３に記載の下肢用衣料。
【請求項２５】
前記前身頃側の部分引き締め用生地の上端縁は、下方側に突出した形状に形成されることを特徴とする請求項２２乃至請求項２４のいずれか一項に記載の下肢用衣料。
【請求項２６】
前記部分引き締め用生地は、伸縮生地とすることを特徴とする請求項１９乃至請求項２５のいずれか一項に記載の下肢用衣料。
【請求項２７】
前記骨盤ベルト部は、前記引き締め用生地を複数重ねて形成され、前記部分引き締め用生地は、前記複数重ねられる引き締め用生地の間に介在するように設けられることを特徴とする請求項１９乃至請求項２６のいずれか一項に記載の下肢用衣料。
【考案の詳細な説明】
【技術分野】
【０００１】
本考案は、下肢用衣料に関し、特に骨盤ベルト部を有する下肢用衣料に関する。
【背景技術】
【０００２】
従来から体型を整えるための補正下着が提案されている。例えば、特許文献１には、引き締め用生地を用いてバランスのとれた体型に補正する補正下着が開示されている。また、特許文献２には、ガ−ドルなどの使用時、トイレで用をたす際に脱ぎ着せず、はいた時のスタイルが持続できる補正下着が開示されている。更には、特許文献３には、腹部、ウエスト部、ヒップ及びバストの形を整える補正下着が開示されている。
【先行技術文献】
【特許文献】
【０００３】
【特許文献１】特開２０１０−６５３７１号
【特許文献２】特開２００８−２５０７０号
【特許文献３】特開平８−２０９４０４号
【考案の概要】
【考案が解決しようとする課題】
【０００４】
ところで、近年は骨盤のゆがみが人体に大きく影響を与えることが知られるようになってきている。例えば、骨盤のゆがみによる人体への代表的な影響として腰痛が挙げられるが、この他内臓を圧迫することによる内臓疾患への影響や、肩こり、神経痛、関節痛等も誘発することが知られている。このため、骨盤のゆがみを矯正するための様々機器や各種の骨盤引き締め用サポータが開発されているが、これらは骨盤の補正を行うためにわざわざ使用したり、衣服とは別に身に着けなければならず使用者にとっては極めて煩雑であった。
【０００５】
本考案はこのような事情に鑑みてなされたものであり、人体に身に着けながら骨盤を引き締めることにより、骨盤の補正をすることができる下肢用衣料を提供することを目的とする。
【課題を解決するための手段】
【０００６】
上記目的を達成するために、下肢用衣料に係る請求項１の考案は、脚部が挿通される脚部挿通口を有する下肢用衣料であって、引き締め用生地で形成され骨盤回りを覆う骨盤ベルト部を有することを特徴とする。
【０００７】
上記目的を達成するために、下肢用衣料に係る請求項２の考案は、腰天の開口部に周回するように設けられるウエストベルト部と、股間を覆うクロッチ部と、脚部が挿通される脚部挿通口と、を有する下肢用衣料であって、引き締め用生地で形成され骨盤回りを覆う骨盤ベルト部を有することを特徴とする。
【０００８】
上記目的を達成するために、下肢用衣料に係る請求項３の考案は、人体の下腹部を覆う前身頃と、腰部から臀部の上部側を覆う後身頃と、前記前身頃および前記後身頃の上端縁に形成され腰天の開口部に周回するように設けられるウエストベルト部と、股間を覆うクロッチ部と、脚部が挿通される脚部挿通口と、を有する下肢用衣料であって、前記前身頃および前記後身頃は、相互に両側端縁部が接続されるとともに、引き締め用生地で形成され骨盤回りを覆う骨盤ベルト部を形成することを特徴とする。
【０００９】
本考案によれば、引き締め用生地で形成され骨盤回りを覆い該骨盤回りを引き締める骨盤ベルト部を有することしたので、より詳しくは、前記前身頃および前記後身頃は、相互に両側端縁部が接続されるとともに、引き締め用生地で形成され骨盤回りを覆う骨盤ベルト部を形成することとしたので、人体に身に着けながら骨盤を引き締めることができ、骨盤のゆがみを補正することができる。
【００１０】
前記骨盤ベルトは、腸骨棘点付近を覆うこととすれば、骨盤ベルト部により骨盤回りを確実に覆うことができる（請求項４）。
前記骨盤ベルト部の側部における下端は、転子点付近に位置することとすれば、骨盤ベルト部により骨盤の下部が覆われる等、骨盤回りを更に確実に覆うことができる（請求項５）。
【００１１】
前記引き締め用生地は、伸縮生地を複数重ねて形成することとすれば、引き締め力を向上させることができ、骨盤を確実に引き締めることができる（請求項６）。
【００１２】
前記複数の伸縮生地は、ネット生地を含むこととすれば、生地の厚みを薄くして、軽量化も図ることができる。また、通気性も確保して蒸れ防止を図ることができる（請求項７）。
【００１３】
前記ネット生地は、パワーネットとすることができる（請求項８）。
前記骨盤ベルト部と前記クロッチ部との間に介在布部材が設けられることとすることができる（請求項９）。
【００１４】
前記介在布部材は、人体の前部から両側部を覆う前部介在布部材と両側部から後部を覆う後部介在布部材とを有し、前記前部介在布部材の上端縁は、前記前身頃の下端縁に接続され、前記後部介在布部材の上端縁は、前記後身頃の下端縁に接続され、前記前部介在布部材の下端縁は、前記クロッチ部の前端縁に接続され、前記後部介在布部材の下端縁は、前記クロッチ部の後端縁に接続され、前記前部介在布部材の両側端縁は、前記前部介在布部材の下端縁の両端から前記骨盤ベルト部の側部の下端付近に至り、それぞれ円弧状に湾曲しながら上昇するように形成され、前記転子点付近で頂点に達することとすることができる（請求項１０）。
【００１５】
前記前部介在布部材の湾曲した両側端縁は、前記頂点に達した後は、前記後部介在布部材の両側端縁に続き、前記後部介在布部材の両側端縁は、前記頂点から前記クロッチ部の後端縁に接続する前記後部介在布部材の下端縁の両端に至るまでそれぞれ曲線状に湾曲しながら漸次下降するように形成されることとすることができる（請求項１１）。
【００１６】
前記後部介在布部材は、上部側の第１の後部介在布部材と下部側の第２の後部介在布部材を有し、前記第１の後部介在布部材は、前記臀部の中間部を覆い、
前記第２の後部介在布部材は、前記臀部の下部を覆うこととすることができる（請求項１２）。
【００１７】
前記第２の後部介在布部材は、引き緩め用生地を用いて形成されることとすれば、臀部が下部から引き締められるので、ヒップアップ効果を高めることができる（請求項１３）。
【００１８】
前記引き締め用生地は、伸縮生地を複数重ねて形成することとすれば、引き締め力を向上させることができ、ヒップアップ効果を更に高めることができる（請求項１４）。
【００１９】
前記複数の伸縮生地は、ネット生地を含むこととすれば、生地の厚みを薄くして、軽量化も図ることができる。また、通気性も確保して蒸れ防止を図ることができる（請求項１５）。
前記ネット生地は、パワーネットとすることができる（請求項１６）。
【００２０】
後部の左右方向の中央ライン上に引き上げ部材を設けることとすれば、臀部の中央部に引き上げ部材がいせ込まれヒップアップ効果をまた更に一層高めることができる（請求項１７）。
【００２１】
前記引き上げ部材は、ストレッチテープとすることができる（請求項１８）。
【００２２】
前記骨盤ベルト部は、前記骨盤ベルト部の一部の領域に設けられる部分引き締め用生地を有することとすることができる（請求項１９）。
【００２３】
前記部分引き締め用生地は、前記骨盤ベルト部の下部側を覆うように設けられることとすれば、骨盤を更に引き締めつつ腹部も持ち上げヒップアップ効果も更に高めることが可能となる（請求項２０）。
【００２４】
前記部分引き締め用生地は、前記骨盤ベルト部の下端縁から上方の一定の範囲に設けられ、前記部分引き締め用生地の上端縁は、前記骨盤ベルト部の上端縁から一定の長さ離間していることとすることができる（請求項２１）。
【００２５】
前記部分引き締め用生地の設置高さは、前記骨盤ベルト部の前身頃側が後頃側よりも低く設定されていることとすれば、ヒップアップ効果も高めることが可能となる（請求項２２）。
【００２６】
前記部分引き締め用生地の設置高さは、前記前身頃側においては、該前身頃の高さの３０％〜６０％とし、前記後身頃側においては、該後身頃の高さの５０〜７０％の高さとすることができる（請求項２３）。
【００２７】
前記前身頃側の部分引き締め用生地の上端縁は、円弧状に湾曲した形状とすることができる（請求項２４）。
【００２８】
前記前身頃側の部分引き締め用生地の上端縁は、下方側に突出した形状に形成されることができる（請求項２５）。
前記部分引き締め用生地は、伸縮生地とすることができる（請求項２６）。
【００２９】
前記骨盤ベルト部は、前記引き締め用生地を複数重ねて形成され、前記部分引き締め用生地は、前記複数重ねられる引き締め用生地の間に介在するように設けられることとすることができる（請求項２７）。
【考案の効果】
【００３０】
本考案によれば、人体に身に着けながら骨盤を引き締めることにより、骨盤の補正をすることができる。
【図面の簡単な説明】
【００３１】
【図１】本考案の第１実施形態に係る下肢用衣料の未着用時の表面側の構成を示す正面図である。
【図２】同下肢用衣料の未着用時の表面側の構成を示す背面図である。
【図３】同下肢用衣料の未着用時の裏面側の構成を示す正面図である。
【図４】同下肢用衣料の未着用時の裏面側の構成を示す背面図である。
【図５】同下肢用衣料を展開した状態を示す展開図である。
【図６】同下肢用衣料のウエストベルト部を示す図５の分解図である。
【図７】同下肢用衣料の前身頃を示す図５の分解図である。
【図８】同下肢用衣料の後身頃を示す図５の分解図である。
【図９】同下肢用衣料の前部介在布部材を示す図５の分解図である。
【図１０】同下肢用衣料の後部介在布部材を示す図５の分解図である。
【図１１】同下肢用衣料のクロッチ部を示す図５の分解図である。
【図１２】同下肢用衣料の着用時の状態を示す正面図である。
【図１３】同下肢用衣料の着用時の状態を示す側面図である。
【図１４】本考案の第２実施形態に下肢用衣料の未着用時の表面側の構成を示す正面図である。
【図１５】同下肢用衣料の未着用時の表面側の構成を示す背面図である。
【図１６】同下肢用衣料の未着用時の裏面側の構成を示す正面図である。
【図１７】同下肢用衣料の未着用時の裏面側の構成を示す背面図である。
【図１８】同下肢用衣料の骨盤ベルト部の構成を示す側面断面図である。
【図１９】同下肢用衣料の未着用時の表面側の別の構成を示す正面図である。
【図２０】同下肢用衣料の未着用時の裏面側の構成を示す背面図である。
【考案を実施するための形態】
【００３２】
以下、本考案の実施形態について図面を参照して詳細に説明する。
[第１実施形態]
図１は、本考案の第１実施形態に係る下肢用衣料の未着用時の表面側の構成を示す正面図、図２は、同下肢用衣料の未着用時の表面側の構成を示す背面図、図３は、同下肢用衣料の未着用時の裏面側の構成を示す正面図、図４は、同下肢用衣料の未着用時の裏面側の構成を示す背面図、図５は同下肢用衣料を展開した状態を示す展開図、図６乃至図１１は、同下肢用衣料の分解図である。なお、以下の説明においては、人体を基準として前後、左右、上下を定義するものとする。
【００３３】
これらの図を参照して下肢用衣料１の概要を説明すると、下肢用衣料１は、骨盤ベルト部１０、ウエストベルト部３０、クロッチ部４０、介在布部材５０、および脚部挿通部８０を有しており、使用者は、下肢用衣料１を人体の下半身に身に着けながら骨盤１の補正をしつつ臀部のヒップアップ効果も得ることができる。なお、本第１実施形態にあっては、以下に詳述するように、下肢用衣料１は主に女性用のショーツを例示している。
【００３４】
骨盤ベルト部１０は、引き締め用生地で形成されており、骨盤回りを覆うように環状に形成されている。骨盤ベルト部１０は、前身頃１１および後身頃１２により形成されている。これら前身頃１１および後身頃１２は、それぞれ略矩形状に形成されており、その上端縁１１ｃ，１２ｃおよび下端縁１１ｄ，１２ｄは、略水平方向に延びている（正確には、前身頃１１の上端縁１１ｃ側は左右方向の中央部１１ｃ´（中央ラインＬ上の位置）が下方に窪んで形成され、下端縁１１ｄ側は左右方向の中央部１１ｄ´（中央ラインＬ上の位置）が下方に突出して形成されている）。
【００３５】
すなわち、前身頃１１は、人体の下腹部を覆うことを可能とする形状に形成されるとともに、後身頃１２は、腰部から臀部の上部側を覆うことを可能とする形状に形成される。これら前身頃１１および後身頃１２の両側端縁部１１ａ，１２ａおよび１１ｂ，１２ｂを相互に縫い合わせて接続することにより、環状の骨盤ベルト部１０が形成される（縫い目は肌当たりを考慮し段差の少ないフラットな構成としている）。
【００３６】
骨盤ベルト部１０は、後述するように、着用時は、人体の腸骨棘点Ａ１，Ａ２付近より詳しくは上前腸骨棘付近および下前腸骨棘付近を覆うことができる。
【００３７】
そして、骨盤ベルト部１０の側部１３，１４の下端１３ａ，１４ａ、より詳しくは前身頃１１および後身頃１２の両側端縁部１１ａ，１２ａおよび１１ｂ，１２ｂが接続される接続部分となる骨盤ベルト部１０の側部１３，１４における下端１３ａ，１４ａは、後述するように、着用時は、人体における大腿骨の大転子の最上端の点となる転子点Ｂ１，Ｂ２付近に位置し、前身頃１１の下端縁１１ｄ，後身頃１２の下端縁１２ｄは、転子点Ｂ１，Ｂ２付近から略水平方向に延びている。
【００３８】
このように骨盤ベルト部１０を腸骨棘点Ａ１，Ａ２付近を覆い、かつ、下端１３ａ，１４ａを転子点Ｂ１，Ｂ２付近に位置させることで、骨盤回りを確実に覆うことができる。
【００３９】
ここで、骨盤ベルト部１０を形成する引き締め用生地は、伸縮生地を複数より詳しくは２枚重ねて形成されており、骨盤を確実に引き締めることができる。
【００４０】
より詳しくは、骨盤ベルト部１０を形成する複数の伸縮生地は、ネット生地を含み、ネット生地は、パワーネットとすることができる。このパワーネットは、１方向にのみ伸縮より詳しくは横方向のみに伸縮する１ＷＡＹ生地とする伸縮性を備えたメッシュ状の布片であり、弾性糸および吸湿性繊維等を含む。
【００４１】
更に詳しくは、骨盤ベルト部１０の表地１０ａは、複数の方向に伸縮する伸縮生地として縦方向および横方向の２方向に伸縮する２ＷＡＹ生地または全方向に伸縮するストレッチ生地とする。この表地１０ａの伸縮生地は、前身頃１１および後身頃１２の両側端縁部１１ａ，１２ａおよび１１ｂ，１２ｂを相互に縫い合わせることによって接続されて形成されている（縫い目は肌当たりを考慮し段差の少ないフラットな構成としている）。
【００４２】
一方、骨盤ベルト部１０の裏地１０ｂは、ネット生地より詳しくは上述したパワーネットとしている。そして、裏地１０ｂのパワーネットは、円周方向において縫い目のない環状に形成されている（骨盤ベルト部１０の裏地１０ｂは、円周方向において縫い目がなく、前身頃１１および後身頃１２が連続した形態となっている）。骨盤ベルト部１０は、ネット生地を含むこととしたので生地の厚みを薄くして軽量化を図ることができる。また、通気性を確保して蒸れ防止を図ることができる。
【００４３】
骨盤ベルト部１０の上端縁１０ｃより詳しくは前身頃１１の上端縁１１ｃおよび後身頃１２の上端縁１２ｃには、ウエストベルト部３０の下端縁３０ｃが縫い合わされて接続されている。このウエストベルト部３０は、腰天の開口部３１を周回するように設けられ環状をなしている（縫い目は肌当たりを考慮し段差の少ないフラットな構成としている）。
【００４４】
ウエストベルト部３０は、引き締め用生地を用いて形成されている。そして、引き締め用生地は、伸縮生地を複数より詳しくは２枚重ねて形成されており、伸縮生地は、表地３０ａおよび裏地３０ｂともに複数の方向に伸縮する生地として縦方向および横方向の２方向に伸縮する２ＷＡＹ生地としている。このため、ウエストベルト部３０は、十分な締め付け力を得ることができ、ゴムを使用しない構成となっている。
【００４５】
一方、骨盤ベルト部１０の下方には、股間より詳しくは女性の陰部を覆うクロッチ部４０が設けられている。クロッチ部４０は、前端縁４１から後端縁４２にいくにしたがって幅寸法が漸次増加するように形成されており、略扇型をなしている。
【００４６】
クロッチ部４０は、引き締め用生地で形成されており、引き締め用生地は、伸縮生地を複数より詳しくは２枚重ねて形成されている。より詳しくは、クロッチ部４０は、表地４０ａは、伸縮生地として複数の方向に伸縮する生地より詳しくは縦方向および横方向の２方向に伸縮する２ＷＡＹ生地としている。また、裏地４０ｂは、１方向にのみ伸縮より詳しくは横方向のみに伸縮する１ＷＡＹ生地とするとともに、綿混素材としており、直履きが可能となっている。
【００４７】
ここで、骨盤ベルト部１０における前身頃１１の下端縁１１ｄとクロッチ部４０の前端縁４１との間および後身頃１２の下端縁１２ｄとクロッチ部４０の後端縁４２との間には介在布部材５０が設けられている。
【００４８】
介在布部材５０は、前部介在布部材６０および後部介在布部材７０を有し、前部介在布部材６０は、人体の前部から両側部を覆い、後部介在布部材７０は、両側部から後部を覆う。
【００４９】
すなわち、前部介在布部材６０の上端縁６０ａは、前身頃１１の下端縁１１ｄに縫い合わされて接続され、後部介在布部材７０の上端縁７０ａは、後身頃１２の下端縁１２ｄに縫い合わされて接続される（縫い目は肌当たりを考慮し段差の少ないフラットな構成としている）。
【００５０】
そして、前部介在布部材６０の下端縁６０ｂは、クロッチ部４０の前端縁４１に縫い合わされて接続され、後部介在布部材７０の下端縁７０ｂは、クロッチ部４０の後端縁４２に縫い合わされて接続される（縫い目は肌当たりを考慮し段差の少ないフラットな構成としている）。
【００５１】
更に、前部介在布部材６０の両側端縁６０ｃ，６０ｄは、前部介在布部材６０の下端縁６０ｂの両端６０ｂ１，６０ｂ２から骨盤ベルト部１０の側部１３，１４の下端１３ａ，１４ａ付近（前身頃１１および後身頃１２の相互に縫い合わされる両側端縁部１１ａ，１２ａおよび１１ｂ，１２ｂの下端付近）に至る部分は、それぞれ円弧状に湾曲しながら上昇するように形成され、転子点Ｂ１，Ｂ２付近で頂点Ｃ１，Ｃ２に達する。前部介在布部材６０の両側端縁６０ｃ，６０ｄの位置は、人体の脚部の付け根付近に設定される。
【００５２】
そして、前部介在布部材６０の湾曲した両側端縁６０ｃ，６０ｄは、頂点Ｃ１，Ｃ２に達した後は、後部介在布部材７０の両側端縁７０ｃ，７０ｄに続き、後部介在布部材７０の両側端縁７０ｃ，７０ｄは、頂点Ｃ１，Ｃ２からクロッチ部４０の後端縁４２に縫い合わされる後部介在部材７０の下端縁７０ｂの両端７０ｂ１，７０ｂ２に至るまでそれぞれ曲線状に湾曲しながら漸次下降するように形成される。
【００５３】
これら前部介在布部材６０および後部介在布部材７０の湾曲した両側端縁６０ｃ，６０ｄおよび７０ｃ，７０ｄは、人体の脚部の大腿部が挿通される脚部挿通口として機能する。
【００５４】
ここで、後部介在布部材７０は、臀部の中間部から下部を覆うこととしており、上部側の第１の後部介在布部材７１と下部側の第２の後部介在布部材７２を有している。
【００５５】
すなわち、第１の後部介在布部材７１は、臀部の中間部を覆い、半円状または三日月状に形成されている。第２の後部介在布部材７２は、第１の後部介在布部材７１の円弧状の下端縁７１ｂを取り囲むように、かつ、臀部の下端に沿うように所定の幅をもった円弧状の湾曲状に形成され、臀部の下部を確実に覆うこととしている。
【００５６】
そして、第１の後部介在布部材７１は、伸縮生地１枚のみとし、伸縮生地は、複数の方向に伸縮する生地として縦方向および横方向の２方向に伸縮する２ＷＡＹ生地としている。また、第２の後部介在布部材７２は、引き締め用生地を用いて形成されている。より詳しくは、第２の後部介在布部材７２は、伸縮生地を複数より詳しくは２枚重ねて形成されており、伸縮生地は、ネット生地を含むこととしている。
【００５７】
更に詳しくは、第２の後部介在布部材７２は、表地７２ａを複数の方向に伸縮する伸縮生地として縦方向および横方向の２方向に伸縮する２ＷＡＹ生地とし、裏地７２ｂをネット生地としてパワーネットとしている。パワーネットは、１方向にのみ伸縮より詳しくは横方向のみに伸縮する１ＷＡＹ生地とする伸縮性を備えたメッシュ状の布片であり、弾性糸および吸湿性繊維等を含む。
【００５８】
つまり、後部介在布部材７０は、一枚の連続する２ＷＡＹ生地の裏側にパワーネットが縫い合わされており、パワーネットが縫い合わされず２ＷＡＹ生地一枚のみとなる上部部分が第１の後部介在布部材７１となり、パワーネットが縫い合わされることにより、２ＷＡＹ生地およびパワーネットで構成される下部部分が第２の後部介在布部材７２となる。
【００５９】
このように、第２の後部介在布部材７２を引き緩め用生地を用いて形成することとしたので、臀部が下部から引き締められ、ヒップアップ効果を高めることができる。また、引き締め用生地は、伸縮生地を複数重ねて形成することとしたので、引き締め力を向上させることができ、ヒップアップ効果を更に高めることができる。更に、複数の伸縮生地は、ネット生地を含むこととしたので、生地の厚みを薄くして、軽量化も図ることができるとともに、通気性も確保して蒸れ防止を図ることができる。
【００６０】
なお、このように形成される後部介在布部材７０は、上端縁より詳しくは第１の後部介在布部材７１の上端縁７１ａとその左右に位置し前記上端縁７１ａと連続する第２の後部介在布部材７２の上端縁７２ｃの左右部７２ｃ２，７２ｃ３を後身頃１２の下端縁１２ｄと縫い合わされて接続される。また、後部介在布部材７０は、下端縁より詳しくは第２の後部介在布部材７２の下端縁７２ｄをクロッチ部４０の後端縁４２と縫い合わされて接続される。なお、パワーネットで構成される第２の後部介在布部材７２の裏地側の上端縁７２ｃの円弧状の中央部７２ｃ１は、第１の後部介在布部材７１の円弧状の下端縁７１ｂつまり後部介在布部材７０の中間部分に縫い合わされて接続される（なお、後部介在布部材７０のいずれの縫い目も肌当たりを考慮し段差の少ないフラットな構成としている）。
【００６１】
ここで、下肢用衣料１の後部の左右方向の中央ラインＬ上、より詳しくはウエストベルト部３０の後部の左右方向の中央部、骨盤ベルト部１０の後部をなす後身頃１２の左右方向の中央部、および後部介在布部材７１，７２の左右方向の中央部には、上下方向に延びて前記各中央部を上方に引き上げる引き上げ部材７５が設けられている。
【００６２】
この引き上げ部材７５は、上下方向に伸縮する伸縮生地を用いて形成されており、より詳しくは相対的にストレッチ性の大きい細紐状のストレッチテープが用いられている。引き上げ部材７５は、裏地側にくの字状にジグザグに縫い合わされて設けられており、第１の後部介在布部材７１における引き上げ部材７５の縫合間隔ｄは骨盤ベルト部１０および第２の後部介在布部材７２の縫合間隔Ｄよりも相対的に狭く設定されている（縫い目は肌当たりを考慮し段差の少ないフラットな構成としている）。これにより、第１の後部介在布部材７１による第２の後部介在布部材の上方への引き上げ力を相対的に大きくして設定することとしている。
【００６３】
脚部挿通部８０は、人体の脚部の大腿部が挿通され、脚部挿通口とされる前部介在布部材６０および後部介在布部材７０の湾曲した両側端縁６０ｃ，６０ｄおよび７０ｃ，７０ｄに縫い合わされて接続される（縫い目は肌当たりを考慮し段差の少ないフラットな構成としている）。
【００６４】
すなわち、この脚部挿通部８０は、一枚の布部材の両側端縁を縫い合わせて環状に形成される（縫い目は肌当たりを考慮し段差の少ないフラットな構成としている）。そして、脚部挿通部８０は、縫い合わされた両側端縁の縫い目８０ｂが、脚部の内側に位置するように、脚部挿通部８０の上端縁８０ａと脚部挿通口とを縫い合わせる。この脚部挿通部８０は、短尺に形成されており、太もも部分に達することなく、脚部の付け根部分を覆うことができる。
【００６５】
このように形成された脚部挿通部８０は、伸縮生地１枚のみで形成される。この伸縮生地は、複数の方向に伸縮する生地として全方向に伸縮するストレッチ生地としている。
【００６６】
ここで、脚部挿通部８０の上端縁８０ａは、湾曲した脚部挿通口に対応するように山型に形成され、山型の高さは、脚部挿通口の頂点Ｃ１，Ｃ２における湾曲深さよりも低い高さとするとともに、山型の幅は、脚部挿通口の湾曲部分の幅よりも狭くして形成される。このように脚部挿通部８０の山型の高さを低くし、幅を狭くすることで、脚部へのフィット感を向上させることができる。なお、脚部挿通部８０の下端縁は、縫い目のない構造としている。
【００６７】
以上のように形成された下肢用衣料１を着用した例を図１２および図１３に示す。これらの図に示すように、下肢用衣料１を着用することにより、全体が後部の臀部側に引っ張られ、骨盤ベルト部１０の側部１３，１４の位置および頂点Ｃ１，Ｃ２の位置が人体の略真横に設定される。
【００６８】
そして、引き締め用生地で形成された骨盤ベルト部１０の作用で、骨盤全体が引き締められるとともに、第２の後部介在布部材７２の作用で臀部の下部が斜め上方に押し上げられてヒップアップ効果が高まる。更に、引き上げ部材７５の作用で臀部の中央部に引き上げ部材７５がいせ込まれヒップアップ効果を更に高めることができる。なお、引き上げ部材７５によるヒップアップ効果は、上記した前身頃１１の上端縁１１ｃの中央部１１ｃ´の窪み部分と下端縁１１ｄの中央部１１ｄ´の突出部分が作用して、前身頃１１の中央部１１ｃ´，１１ｄ´が下方に引っ張られ易くなり、引き上げ部材７５により第２の後部介在布部材７２の引き上げ効果が大きくなる。
【００６９】
[第２実施形態]
次に本考案の第２実施形態について図１４乃至図２０に基づいて詳細に説明する。なお、本第２実施形態においては、上述した第１実施形態と同一の符号が付された構成については同一の構成であるとしてその説明を省略することがあるものとする。また第１実施形態と同様の構成についてもその説明を省略することがあるものとする。
【００７０】
すなわち、本考案の第２実施形態に係る下肢用衣料２は、骨盤ベルト部１０が、該骨盤ベルト部１０の一部の領域に設けられる部分引き締め用生地１００を有することとしている。骨盤ベルト部１０を形成する引き締め用生地は、上述した第１実施形態と同様に複数の伸縮生地を重ねて形成されており、部分引き締め用生地１００は、複数重ねられた引き締め用生地の間に介在するように、より詳しくは、表地１０ａと裏地１０ｂの間に介在するように設けられている（部分引き締め用生地１００は、表地１０ａおよび裏地１０ｂの内面側に設けられている）。
【００７１】
この部分引き締め用生地１００は、骨盤ベルト部１０の下部側の領域に設けられており、これにより、骨盤を更に引き締めつつ腹部も持ち上げてヒップアップ効果も更に高めことが可能となる。また、部分引き締め用生地１００は、複数重ねられる引き締め用生地の間に介在するように設けられているので、下肢用衣料２の表面からは視認することはできず製品の美観を損ねることが少ない。
【００７２】
ここで、部分引き締め用生地１００は、骨盤ベルト部１０の下端縁から上方の一定の範囲に設けられている。
すなわち、部分引き締め用生地１００の上端縁１００´は、骨盤ベルト部１０の上端縁１０ｃから一定の長さ離間している。そして、部分引き締め用生地１００の設置高さつまり上端縁１００´の高さは、骨盤ベルト部１０の前身頃１１側の上端縁１０１´が後身頃１２側の上端縁１０２´よりも低く設定されている。部分引き締め用生地１００の設置高さは、より詳しくは、前身頃１１側の上端縁１０１´においては、前身頃１１の高さの３０％〜６０％とし、後身頃１２側の上端縁１０２´においては、該後身頃１２の高さの５０〜７０％の高さとすることができる。
【００７３】
前身頃１１側の部分引き締め用生地１００の上端縁１０１´は、円弧状に湾曲した形状とすることができ、より詳しくは、前身頃１１側の部分引き締め用生地１００の上端縁１０１´は、下方側に突出した形状（つまり、前身頃１１側の部分引き締め用生地１００は上方側に対しては窪んだ凹状）に形成することができる。このように、前身頃１１側の部分引き締め用生地１００を下方側に突出した形状に形成することとすれば、更に腹部を持ち上げるように矯正することができる。
【００７４】
部分引き締め用生地１００は、上述した第１実施形態の骨盤ベルト部１０を形成する裏地１０ｂ側の引き締め生地と同様に、伸縮生地とすることができる。この伸縮生地は、ネット生地とし、ネット生地は、パワーネットとすることができる。このパワーネットは、１方向にのみ伸縮より詳しくは横方向のみに伸縮する１ＷＡＹ生地とする伸縮性を備えたメッシュ状の布片であり、弾性糸および吸湿性繊維等を含むこととすることができる。
【００７５】
なお、図１９の変形例に示すように、部分引き締め用生地１００を、骨盤ベルト部１０の表地１０ａ側に外面側から更に重ねるように設けることとしたり、図２０の変形例に示すように、骨盤ベルト部１０の裏地１０ｂ側に外面側から更に重ねるように設けることとしても所要の効果を奏する。
【００７６】
また、上述した部分引き締め用生地１００は、ネット生地の他、複数の方向に伸縮する伸縮生地として縦方向および横方向の２方向に伸縮する２ＷＡＹ生地または全方向に伸縮するストレッチ生地とすることとしても所要の効果を奏することができる。
【００７７】
以上説明したように本考案によれば、引き締め用生地で形成され骨盤回りを覆い該骨盤回りを引き締める骨盤ベルト部１０を有することしたので、人体に身に着けながら骨盤を引き締めることができ、骨盤のゆがみを補正することができる。
【００７８】
なお、本考案は、上述した実施形態に限定されず実用新案登録請求の範囲を逸脱しない範囲内において種々の変形実施、応用実施が可能であることは勿論である。
【００７９】
例えば、上述した実施形態にあっては、下肢用衣料１は、女性用のショーツを例に説明しているが、これに限定されるものではなく、本考案の技術思想は、その他のインナーやスポーツ衣料等にも適用可能である。
【００８０】
また、上述した実施形態にあっては、ネット生地は、パワーネットとしているが他のネット生地、例えばサテンネットあるいはトリコネットとしても所要の効果を奏する。ただし、パワーネットとした方がサテンネットあるいはトリコネットとするよりも通気性や軽量化の面で優れる。
【産業上の利用可能性】
【００８１】
本考案は、骨盤の補正をすることができる下肢用衣料を提供することができ、衣料業界の発展に大きく貢献する。
【符号の説明】
【００８２】
Ａ１，Ａ２：腸骨棘点
Ｂ１，Ｂ２：転子点
Ｃ１，Ｃ２：頂点
１：下肢用衣料
１０：骨盤ベルト部
１０ａ：表地
１０ｂ：裏地
１０ｃ：上端縁
１１：前身頃
１１ａ，１１ｂ：側端縁部
１１ｃ：上端縁
１１ｃ´：中央部
１１ｄ：下端縁
１１ｄ´：中央部
１２：後身頃
１２ａ，１２ｂ：側端縁部
１２ｃ：上端縁
１２ｄ：下端縁
１３：側部
１３ａ：下端
１４：側部
１４ａ：下端
３０：ウエストベルト部
３０ｃ：下端縁
３１：開口部
４０：クロッチ部
４０ａ：表地
４０ｂ：裏地
４１：前端縁
４２：後端縁
５０：介在布部材
６０：前部介在布部材
６０ａ：上端縁
６０ｂ：下端縁
６０ｂ１，６０ｂ２：両端
６０ｃ，６０ｄ：側端縁
７０：後部介在布部材
７０ａ：上端縁
７０ｂ：下端縁
７０ｂ１，７０ｂ２：両端
７０ｃ，７０ｄ：側端縁
７１：第１の後部介在布部材
７１ａ：上端縁
７１ｂ：下端縁
７２：第２の後部介在布部材
７２ａ：表地
７２ｂ：裏地
７２ｃ：上端縁
７２ｃ１：中央部
７２ｃ２，７２ｃ３：左右部
７２ｄ：下端縁
７２ｄ１：中央部
７５：ストレッチテープ
８０：脚部挿通部
８０ａ：上端縁部
９０ａ：上端縁
１００：部分引き締め生地
１００´：上端縁
１０１´：前身頃側の上端縁
１０２´：後身頃側の上端縁
【図１】
0003235294.tif 000003
【図２】
0003235294.tif 000004
【図３】
0003235294.tif 000005
【図４】
0003235294.tif 000006
【図５】
0003235294.tif 000007
【図６】
0003235294.tif 000008
【図７】
0003235294.tif 000009
【図８】
0003235294.tif 000010
【図９】
0003235294.tif 000011
【図１０】
0003235294.tif 000012
【図１１】
0003235294.tif 000013
【図１２】
0003235294.tif 000014
【図１３】
0003235294.tif 000015
【図１４】
0003235294.tif 000016
【図１５】
0003235294.tif 000017
【図１６】
0003235294.tif 000018
【図１７】
0003235294.tif 000019
【図１８】
0003235294.tif 000020
【図１９】
0003235294.tif 000021
【図２０】
0003235294.tif 000022